(57)【特許請求の範囲】
【請求項１】
箱体２の正面板５に入切部３だけを単独で設け、該箱体２の背面板６に設置壁７へ向けて発生される音発生部４を設け、該音発生部４からの音発生方向と向かい合う設置壁７との間に隙間９を形成して音を反響させ、前記反響によって音を大きくさせる効果を最大限にする隙間幅Ｓの該隙間９を形成するために背面板６から脚突起８を突出させた事を特徴とする入切容易な音発生装置。
【請求項２】
背面板６から突出する脚突起８の長さを４ミリメートルにして、該背面板６と設置壁７との隙間９の隙間幅Ｓを４ミリメートルの数値限定にした事を特徴とする請求項１記載の入切容易な音発生装置。
【発明の詳細な説明】
【技術分野】
【０００１】
本発明は、スイッチボタンを押す事で操作する音発生装置に関する物である。
【背景技術】
【０００２】
従来の音発生装置は、例えば考案の名称、擬音発生装置で示すように、同一面上に操作ボタンとスピーカー部とを有していた。
【先行技術文献】
【特許文献】
【０００３】
【特許文献１】実公平７−８６１３号
【発明の概要】
【発明が解決しようとする課題】
【０００４】
操作ボタンとスピーカー部とが同一面上に有している事から、両者を併設する為の面積が必要であり、場合によっては装置の大きさを2倍にする必要があった。
【課題を解決するための手段】
【０００５】
操作ボタンとスピーカー部とを別な面に位置付け、操作ボタンは正面板へ設け、スピーカー部は背面板へ設け、スピーカー部が背面に有している事から、設置壁を反響板としても活用する。
【発明の効果】
【０００６】
操作ボタンを正面板へ設けた事で入切などの操作が容易になり、又、正面にスピーカー部を有していない事から水滴が掛かってもスピーカー部が濡れる恐れは少なくなり、スピーカー部を背面板へ設けた事で設置壁と向かい合わせになり、スピーカー部から発せられる音を設置壁へ反響させて音を大きくする事ができ、その違いを示す実験結果では、設置壁素材をＰタイルにして、設置壁から１メートル離れた位置から測定した結果、背面方向から測定する直接音で７０．２デシベルを示していたのに対し、設置壁へ脚突起が接した状態で正面方向から測定する反響音では７２．２デシベルを示しており、両者の差が２．０デシベルもある事から判るように、設置壁は反響板としての役割を充分に果たす事ができる。
【図面の簡単な説明】
【０００７】
【図１】部分剥離した音発生装置の右側面図（実施例１）
【図２】同正面斜視図
【図３】取付具設置前の背面斜視図
【図４】取付具設置状態の背面斜視図
【図５】反響音測定状態部分剥離右側面図
【図６】直接音測定状態部分剥離左側面図
【図７】隙間幅を加減した測定結果表
【図８】設置壁素材の違いによる音量変化の測定結果表
【発明を実施するための形態】
【０００８】
発明実施の形態を、図１から図４を参照しながら、以下の実施例で説明する。
【実施例１】
【０００９】
図１は、部分剥離右側面図であり、装置１の外枠である箱体２には別な面での位置関係で正面板５と背面板６とを有し、正面板５には入切部３を設け、背面板６には音発生部４を設け、音発生部４からの音発生方向に設置壁７を位置づけ、設置壁７を反響させる事で音は増幅され、背面板６から脚突起８を突出させて設置壁７との間に隙間９を形成し、隙間９の空気層を介して音発生部４から発する音の振動が設置壁７に伝わり、設置壁７と背面板６とが直に接しているよりも反響効果は高くなる。
【００１０】
脚突起８の数と形状は限定ではなく、背面板６の四隅領域の各々に一箇所ずつ設けての合計４箇所である事が望ましく、四箇所に有する脚突起８の全てが同じ形状であっても良いが、天方向の二箇所の脚突起８には通し孔１０を開ける事が望ましく、通し孔１０は紐などを通して装置１を吊下げて設置できる役割を果たす。
【００１１】
箱体２の形状は限定ではないが、立方体、直方体の六面体である事が望ましく、角は角張っていても良いが適宜に丸い角である事が望ましく、箱体２の形成構造は、前後に分離された矩形の器体を接合線１１で接合して形成する事が望ましく、箱体２の天面には切替部１２を設ける事が望ましく、切替部１２は音量を切替えるスイッチである事が望ましく、無段階で音量を変化させても良いが、大・小などの二段階、或いは大・中・小の三段階など、複数の段階を設けて変化させるのが望ましい。
【００１２】
図２は、正面斜視図であり、正面方向から見える領域に於いて、左右は面対称である事が望ましく、図１で示した音発生部４と、図１と図２で示した入切部３とは別な面に設けた事で、入切部３は正面板５に単独で有する事ができ、単独で有する事から正面板５の面上で入切部３は広い面積を占める事ができ、入切部３を広い面積にした事で手の接触が容易になり、よって入切が容易になり、又、入切部３の面積が広い事で、操作機能を表示した記号を大きく表示でき、表示する記号は限定ではなく、例えばメロディーや水の流れの音を発生するのであれば、表示する記号としては音符であっても良い。
【００１３】
装置１の外枠である箱体２の形状は限定ではないが、前後に平たい直方体ある事が望ましく、正面板５と背面板６とは角の丸い正方形が望ましく、側面板１３と天面板１４と底面板１５とは矩形である事が望ましく、箱体２の形成構造は、前後へ分離できる矩形の器形状を成し、前記器形状体を接合線１１で接合し、接合線１１の接合方法は限定ではなく、溶着や接着であっても良いが、嵌合が望ましく、嵌合固定方法は、凹凸によるロック嵌合固定であっても良いし、ネジ釘による固定であっても良いし、前記両者の併用であっても良い。
【００１４】
入切部３とは別な面に切替部１２を設け、切替部１２の設ける箇所は限定ではないが、天面板１４に切替部１２を設ける事が望ましく、切替部１２の構造は限定ではなく、無段階で切り替えのできるダイヤル構造であっても良いが、複数段階で切り替わる事が望ましく、前記複数段階の内で大・小の二段階で切り替わる事が特に望ましく、切替部１２の数は限定ではなく、側面板１３の双方、或いは片方へ設けても良く、切替部１２は音量の大きさを切り替える事が望ましいのであるが、音の高低であったり、音質であったり、音の種類の切替であっても良い。
【００１５】
図３は、取付具設置前の背面斜視図であり、音発生部４は箱体２の内側に設置し、前記の設置構造は限定ではなく、背面板６へ設置しても良いし、適宜に離した箇所へ設置しても良いし、発生音の進行方向は背面板６にし、発生音の進行方向に位置する背面板６の部分領域へ格子溝１６を複数開け、発生音は格子溝１６を擦り抜けて外部へ漏れ出し、格子溝１６の形成箇所は背面板６の中央であっても良いが隅へ退けた箇所へ形成する事が望ましく、格子溝１６を隅へ退けた事によって複数の各部を同一面上に併設する事ができ、又、発生音の音量も隅へ退けた事で変化する弊害は殆ど無く、格子溝１６の横へ取付具１７を設置する為の押え部１８を設け、箱体２の下部に電池室１９を設け、電池室１９は背面板６の下部に設けた室蓋２０によって閉じられ、室蓋２０の上部中央へ指当て部２１を設けて室蓋２０の開閉或いは着脱を容易にし、電池室１９の具体的な構造は従来技術を用いる事から詳細な説明は省き、背面板６へ設ける格子溝１６と押え部１８と室蓋２０の位置関係は前記の状態が望ましいのであるが限定ではなくて入れ替えても良い。
【００１６】
箱体２の背面板６に取り付ける取付具１７に於いて、図３での取付具１７だけは正面斜視図であり、取付具１７の下角両側領域に裾堰部２２を板状に正面方向へ突出させて設け、前記の突出幅は脚突起８の突出と同寸或いは遊びを含めた大きさにし、裾堰部２２は面対象の対で設け、基本形状は内側を直角に折り曲げたＬ字形状を成し、Ｌ字形状を成した事で下部に位置する脚突起８の下端と内側面とに沿う事ができ、前記Ｌ字形状の頂部から内側斜め上方向へ適宜に上った導き領域２６を延設する事が望ましく、取付具１７の上部領域に於いて、一方の角領域を取り除いて窓域２３とし、他方の角領域は段差部２４を介して正面へ並行移動して迫り出した沿い域２５を延設し、段差部２４の突出幅は裾堰部２２の突出幅と同寸にする事で沿い域２５を背面板６へ沿わせる事ができ、背面板６と沿い域２５とが沿い合っている事で沿い域２５に切込形状で設けた滑溝２７を押え部１８の正面方向へ滑り込ませて固定する事ができ、窓域２３は格子溝１６の領域と重なる位置関係で設けているので、格子溝１６から擦り抜け出る音を塞き止めるのを防止しており、段差部２４から下領域をもたげ域２８とし、もたげ域２８の正面は平面であっても良いが適宜に板状で突出させた補強板２９を設ける事が望ましく、補強板２９の形状は限定ではなく、一直線の板であっても良いが、逆さＴ字形状である事が天地左右方向を同時に補強できるので望ましく、もたげ域２８にはネジ釘や釘などを差し込んで固定する為の取付穴３０を開ける事が望ましい。
【００１７】
図４は、取付具設置状態背面斜視図であり、装置１の箱体２を床及び台の上で寝かせて置く場合は設置するための部具は無くても良いが、図１で示した設置壁７へ設置する場合は専用の部具が必要であり、設置壁７への設置方法を述べるならば、上部左右二箇所の脚突出８へは通し孔１０を開けており、通し孔１０へ適宜な太さと強度を有する紐を通し、通された紐は輪にする事が望ましく、輪になった紐を設置壁７から突出するフック状の突起へ引っ掛けて吊下げて装置１を設置する方法があり、紐による吊下げは揺れたり傾いたりする問題点があり、前記の問題点を解決した方法としての取付具１７を用いた設置方法では、取付具１７の上部に有する滑溝２７が押え部１８の正面へ滑り込んで押さえ込まれ、取付具１７の下部両角領域はＬ字形状の裾堰部２２が脚突起８と接しているので横方向へのズレを抑制されており、取付具１７自身の設置構造は、もたげ域２８の背面へ貼着剤を付けて貼着固定をしても良く、貼着方法は限定ではなく、接着糊による接着、粘着糊による粘着、糊を用いる他、両面貼着テープを用いても良く、貼着の他、取付穴にネジ釘か釘を差し込んで打付け固定をしても良く、貼着と打付け固定とを併用して設置しても良く、取付具１７が強固に固定されているならば、装置１の設置状態も安定し、装置１の自重によって嵌り込んでいるだけなので、装置１の着脱も容易である。
【００１８】
取付具１７を用いた設置構造に於いて、格子溝１６と重なる取付具１７の領域は窓域２３として取り除かれており、窓域２３を有する事で格子溝１６から擦り抜け出る音の進行を遮らず、もたげ域２８は設置壁７へ設置する役目の他、隙間９を形成しているので、音の反響効果を保つ事ができる。
【００１９】
図５は、反響音測定状態部分剥離右側面図であり、設置壁７の表面から任意の距離Ｌだけ遠ざけた位置に測定器３１を設置して測定する構造であり、距離Ｌの長さは限定ではないが任意の数値として１メートルにし、設置壁７は垂直で図示しているが水平であっても良く、本図の反響音測定では、装置１の箱体２の正面板５を測定器３１へ向けた正面方向からの測定であり、箱体２の背面板６と設置壁７との間には隙間９を有している事が望ましく、隙間９の加減域を隙間幅Ｓとし、隙間幅Ｓの加減によって音発生部４から発した音が設置壁７に反響する音の変化を測定するのであり、音発生部４から発せられる元の音量は加減できるが任意の一定であり、背面板６が設置壁７に接した隙間幅Ｓが０の状態も測定する必要性から脚突起８は取り除いて図示している。
【００２０】
図６は、直接音測定状態部分剥離左側面図であり、距離Ｌの数値は同寸の１メートルにし、本図の直接音測定では、装置１の箱体２の背面板６を測定器３１へ向けた背面方向からの測定であり、装置１の正面で僅かに突出した入切部３が設置壁７に接している事から隙間幅Ｓは０であり、音発生部４から発する音の進行方向に測定器３１は位置している。
【００２１】
図７は、隙間幅を加減した測定結果表であり、図５で示した構造で反響音の測定を行い、隙間幅Ｓの加減によって測定された音量は変化し、隙間幅Ｓが広過ぎても狭過ぎても音量は少なくなり、最大値は隙間幅Ｓが４ミリメートルである事から、隙間９の幅を規定する脚突起８の長さは４ミリメートルが最良である事になる。
【００２２】
図８は、設置壁素材の違いによる音量変化の測定結果表であり、反響音は図５で示した正面方向からの測定であり、直接音は図６で示した背面方向からの測定であり、反響効果の高い物質であるスチールやＰタイルでは反響音の方が大きな値を示しており、反響効果の低い物質というよりも吸音物質である立毛マットでは直接音の方が大きな値を示しており、吸音物質を設置壁７にしない限り、設置壁７によって反響効果を高める事ができる。
【００２３】
図示していないが、その他の測定結果を述べるならば、装置１の測定方向が図５に対して図６は１８０度反転の裏返しであったが、半分の９０度回転した側面方向からの測定では６６．６デシベルである事から反響音や直接音よりも更に低い値を示し、設置壁７から装置１自体を１メートル離し、設置壁７の反響効果を無くした状態で測定距離Ｌを１メートル（設置壁７からは２メートル）にして測定した結果を述べるならば、正面方向からの測定値は６３．６デシベルであり、直接音である背面方向からの測定値は６６．４デシベルであった。
【産業上の利用可能性】
【００２４】
本発明は水洗トイレの排水音の擬音を発生させて、小便等の落下音或いは排出音を聞き取り難くする擬音発生装置としての利用が目的であるが、擬音だけに留まらず、虫の音や鳥のさえずり、波打ち際の音などの快適音の発生の他、呼び鈴音の発生装置にも適応できる。
【符号の説明】
【００２５】
１  装置
２  箱体
３  入切部
４  音発生部
５  正面板
６  背面板
７  設置壁
８  脚突起
９  隙間
【図１】
0005483534.tif 000002
【図２】
0005483534.tif 000003
【図３】
0005483534.tif 000004
【図４】
0005483534.tif 000005
【図５】
0005483534.tif 000006
【図６】
0005483534.tif 000007
【図７】
0005483534.tif 000008
【図８】
0005483534.tif 000009